【手続補正書】
【提出日】平成22年2月18日(2010.2.18)
【手続補正１】
【補正対象書類名】特許請求の範囲
【補正対象項目名】全文
【補正方法】変更
【補正の内容】
【特許請求の範囲】
【請求項１】
ネットワーク上の外部装置にデジタル画像データを送信することが可能な撮像装置であって、
前記外部装置から前記デジタル画像データの取得要求を受信する受信手段と、
前記取得要求において要求されたデジタル画像データのファイル形式に基づき、前記要求されたデジタル画像データが前記外部装置で表示できるか否かを判定する判定手段と、
前記判定手段により、前記要求されたデジタル画像データが前記外部装置で表示できないと判定された場合、前記要求されたデジタル画像データとは異なる表示用画像データと、前記要求されたデジタル画像データへのリンク先の情報とを前記外部装置に送信する送信手段とを有することを特徴とする撮像装置。
【請求項２】
前記判定手段により、前記要求されたデジタル画像データが前記外部装置で表示できないと判定された場合、前記要求されたデジタル画像データに基づき、前記表示用画像データを生成する生成手段をさらに有し、
前記生成手段により生成される表示用画像データは、前記外部装置で表示可能であることを特徴とする請求項１記載の撮像装置。
【請求項３】
前記外部装置により要求されたデジタル画像データが前記外部装置で表示できないことを報知するための報知画像を予め記憶するための記憶手段をさらに有し、
前記判定手段により、前記要求されたデジタル画像データが前記外部装置で表示できないと判定された場合、前記送信手段は前記報知画像を前記表示用画像データとして送信することを特徴とする請求項１記載の撮像装置。
【請求項４】
前記送信手段は、前記要求されたデジタル画像データへのリンク先の情報が記述されたＨＴＭＬファイルを送信することを特徴とする請求項１乃至３のいずれか１項に記載の撮像装置。
【請求項５】
デジタル画像データを生成する撮像装置と接続し、ネットワーク上の外部装置にデジタル画像データを送信することが可能なアダプタ装置であって、
前記外部装置から前記デジタル画像データの取得要求を受信する第１の受信手段と、
前記外部装置からのデジタル画像データの取得要求において要求されたデジタル画像データのファイル形式に基づき、前記要求されたデジタル画像データが前記外部装置で表示できるか否かを判定する判定手段と、
前記判定手段により、前記要求されたデジタル画像データが前記外部装置で表示できないと判定された場合、前記要求されたデジタル画像データとは異なる表示用画像データと、前記要求されたデジタル画像データへのリンク先の情報とを前記外部装置に送信する送信手段とを有することを特徴とするアダプタ装置。
【請求項６】
前記外部装置から要求されたデジタル画像データを前記撮像装置から受信する第２の受信手段をさらに有し、
前記判定手段により、前記要求されたデジタル画像データが前記外部装置で表示できないと判定された場合、前記第２の受信手段により受信した前記デジタル画像データに基づき、前記表示用画像データを生成する生成手段をさらに有し、
前記生成手段により生成される表示用画像データは、前記外部装置で表示可能であることを特徴とする請求項５記載のアダプタ装置。
【請求項７】
前記外部装置により要求されたデジタル画像データが前記外部装置で表示できないことを報知するための報知画像を予め記憶するための記憶手段をさらに有し、
前記判定手段により、前記要求されたデジタル画像データが前記外部装置で表示できないと判定された場合、前記送信手段は前記報知画像を表示用画像データとして送信することを特徴とする請求項５記載のアダプタ装置。
【請求項８】
前記送信手段は、前記要求されたデジタル画像データへのリンク先の情報が記述されたＨＴＭＬファイルを送信することを特徴とする請求項５乃至８のいずれか１項に記載のアダプタ装置。
【請求項９】
ネットワーク上の外部装置にデジタル画像データを送信することが可能な撮像装置の制御方法であって、
前記外部装置から前記デジタル画像データの取得要求を受信する受信工程と、
前記取得要求において要求されたデジタル画像データのファイル形式に基づき、前記要求されたデジタル画像データが前記外部装置で表示できるか否かを判定する判定工程と、
前記判定工程により、前記要求されたデジタル画像データが前記外部装置で表示できないと判定された場合、前記要求されたデジタル画像データとは異なる表示用画像データと、前記要求されたデジタル画像データへのリンク先の情報とを前記外部装置に送信する送信工程とを有することを特徴とする制御方法。
【請求項１０】
デジタル画像データを生成する撮像装置と接続し、ネットワーク上の外部装置にデジタル画像データを送信することが可能なアダプタ装置の制御方法であって、
前記外部装置から前記デジタル画像データの取得要求を受信する受信工程と、
前記外部装置からのデジタル画像データの取得要求において要求されたデジタル画像データのファイル形式に基づき、前記要求されたデジタル画像データが前記外部装置で表示できるか否かを判定する判定工程と、
前記判定工程により、前記要求されたデジタル画像データが前記外部装置で表示できないと判定された場合、前記要求されたデジタル画像データとは異なる表示用画像データと、前記要求されたデジタル画像データへのリンク先の情報とを前記外部装置に送信する送信工程とを有することを特徴とする制御方法。
【請求項１１】
ネットワーク上の外部装置にデジタル画像データを送信することが可能な撮像装置の制御方法を当該撮像装置に実行させるためのプログラムであって、
前記外部装置から前記デジタル画像データの取得要求を受信する受信ステップと、
前記取得要求において要求されたデジタル画像データのファイル形式に基づき、前記要求されたデジタル画像データが前記外部装置で表示できるか否かを判定する判定ステップと、
前記判定ステップにより、前記要求されたデジタル画像データが前記外部装置で表示できないと判定された場合、前記要求されたデジタル画像データとは異なる表示用画像データと、前記要求されたデジタル画像データへのリンク先の情報とを前記外部装置に送信する送信ステップとを有することを特徴とするプログラム。
【請求項１２】
デジタル画像データを生成する撮像装置と接続し、ネットワーク上の外部装置にデジタル画像データを送信することが可能なアダプタ装置の制御方法を当該アダプタ装置に実行させるためのプログラムであって、
前記外部装置から前記デジタル画像データの取得要求を受信する受信ステップと、
前記外部装置からのデジタル画像データの取得要求において要求されたデジタル画像データのファイル形式に基づき、前記要求されたデジタル画像データが前記外部装置で表示できるか否かを判定する判定ステップと、
前記判定ステップにより、前記要求されたデジタル画像データが前記外部装置で表示できないと判定された場合、前記要求されたデジタル画像データとは異なる表示用画像データと、前記要求されたデジタル画像データへのリンク先の情報とを前記外部装置に送信する送信ステップとを有することを特徴とするプログラム。
【手続補正２】
【補正対象書類名】明細書
【補正対象項目名】発明の名称
【補正方法】変更
【補正の内容】
【発明の名称】撮像装置及びその制御方法、アダプタ装置及びその制御方法、並びにプログラム
【手続補正３】
【補正対象書類名】明細書
【補正対象項目名】０００１
【補正方法】変更
【補正の内容】
【０００１】
本発明は、撮像装置及びその制御方法、アダプタ装置及びその制御方法、並びにプログラムに関する。
【手続補正４】
【補正対象書類名】明細書
【補正対象項目名】０００８
【補正方法】変更
【補正の内容】
【０００８】
上記目的を達成するために、請求項１記載の撮像装置は、ネットワーク上の外部装置にデジタル画像データを送信することが可能な撮像装置であって、前記外部装置から前記デジタル画像データの取得要求を受信する受信手段と、前記取得要求において要求されたデジタル画像データのファイル形式に基づき、前記要求されたデジタル画像データが前記外部装置で表示できるか否かを判定する判定手段と、前記判定手段により、前記要求されたデジタル画像データが前記外部装置で表示できないと判定された場合、前記要求されたデジタル画像データとは異なる表示用画像データと、前記要求されたデジタル画像データへのリンク先の情報とを前記外部装置に送信する送信手段とを有することを特徴とする。
【手続補正５】
【補正対象書類名】明細書
【補正対象項目名】０００９
【補正方法】変更
【補正の内容】
【０００９】
上記目的を達成するために、請求項５記載のアダプタ装置は、デジタル画像データを生成する撮像装置と接続し、ネットワーク上の外部装置にデジタル画像データを送信することが可能なアダプタ装置であって、前記外部装置から前記デジタル画像データの取得要求を受信する第１の受信手段と、前記外部装置からのデジタル画像データの取得要求において要求されたデジタル画像データのファイル形式に基づき、前記要求されたデジタル画像データが前記外部装置で表示できるか否かを判定する判定手段と、前記判定手段により、前記要求されたデジタル画像データが前記外部装置で表示できないと判定された場合、前記要求されたデジタル画像データとは異なる表示用画像データと、前記要求されたデジタル画像データへのリンク先の情報とを前記外部装置に送信する送信手段とを有することを特徴とする。
【手続補正６】
【補正対象書類名】明細書
【補正対象項目名】００１０
【補正方法】変更
【補正の内容】
【００１０】
上記目的を達成するために、請求項９記載の撮像装置の制御方法は、ネットワーク上の外部装置にデジタル画像データを送信することが可能な撮像装置の制御方法であって、前記外部装置から前記デジタル画像データの取得要求を受信する受信工程と、前記取得要求において要求されたデジタル画像データのファイル形式に基づき、前記要求されたデジタル画像データが前記外部装置で表示できるか否かを判定する判定工程と、前記判定工程により、前記要求されたデジタル画像データが前記外部装置で表示できないと判定された場合、前記要求されたデジタル画像データとは異なる表示用画像データと、前記要求されたデジタル画像データへのリンク先の情報とを前記外部装置に送信する送信工程とを有することを特徴とする。
上記目的を達成するために、請求項１０記載のアダプタ装置の制御方法は、デジタル画像データを生成する撮像装置と接続し、ネットワーク上の外部装置にデジタル画像データを送信することが可能なアダプタ装置の制御方法であって、前記外部装置から前記デジタル画像データの取得要求を受信する受信工程と、前記外部装置からのデジタル画像データの取得要求において要求されたデジタル画像データのファイル形式に基づき、前記要求されたデジタル画像データが前記外部装置で表示できるか否かを判定する判定工程と、前記判定工程により、前記要求されたデジタル画像データが前記外部装置で表示できないと判定された場合、前記要求されたデジタル画像データとは異なる表示用画像データと、前記要求されたデジタル画像データへのリンク先の情報とを前記外部装置に送信する送信工程とを有することを特徴とする。
【手続補正７】
【補正対象書類名】明細書
【補正対象項目名】００１１
【補正方法】変更
【補正の内容】
【００１１】
上記目的を達成するために、請求項１１記載のプログラムは、ネットワーク上の外部装置にデジタル画像データを送信することが可能な撮像装置の制御方法を当該撮像装置に実行させるためのプログラムであって、前記外部装置から前記デジタル画像データの取得要求を受信する受信ステップと、前記取得要求において要求されたデジタル画像データのファイル形式に基づき、前記要求されたデジタル画像データが前記外部装置で表示できるか否かを判定する判定ステップと、前記判定ステップにより、前記要求されたデジタル画像データが前記外部装置で表示できないと判定された場合、前記要求されたデジタル画像データとは異なる表示用画像データと、前記要求されたデジタル画像データへのリンク先の情報とを前記外部装置に送信する送信ステップとを有することを特徴とする。
上記目的を達成するために、請求項１２記載のプログラムは、デジタル画像データを生成する撮像装置と接続し、ネットワーク上の外部装置にデジタル画像データを送信することが可能なアダプタ装置の制御方法を当該アダプタ装置に実行させるためのプログラムであって、前記外部装置から前記デジタル画像データの取得要求を受信する受信ステップと、前記外部装置からのデジタル画像データの取得要求において要求されたデジタル画像データのファイル形式に基づき、前記要求されたデジタル画像データが前記外部装置で表示できるか否かを判定する判定ステップと、前記判定ステップにより、前記要求されたデジタル画像データが前記外部装置で表示できないと判定された場合、前記要求されたデジタル画像データとは異なる表示用画像データと、前記要求されたデジタル画像データへのリンク先の情報とを前記外部装置に送信する送信ステップとを有することを特徴とする。
【手続補正８】
【補正対象書類名】明細書
【補正対象項目名】００１２
【補正方法】変更
【補正の内容】
【００１２】
本発明によれば、外部装置が要求したデジタル画像データが外部装置のブラウザで表示できないファイル形式であった場合でも、ユーザにデジタル画像データの取得が可能であることを知らせることができる。